(57)【特許請求の範囲】
【請求項１】
壁材に形成された貫通孔から壁裏へ挿入可能で、開口を有するほぼ四角形状に形成された有底箱状をなし、箱内に配線を引き込むための引込孔と、上壁及び下壁に形成され、前記壁裏の前記貫通孔周縁の上部及び下部にそれぞれ当接可能な当接部と、配線器具を取り付ける配線器具取付部とを備えた配線器具取付部材と、
前記配線器具取付部材に一部が貼り付けられるとともに、一部が前記壁材に貼り付け可能で、前記配線器具取付部材を前記壁材に仮固定するためのシート状の貼付部材とからなり、
前記配線器具取付部材の下部のみには、開口側に突出形成された前記貫通孔内周に当接可能な突起を備え、前記引込孔は、箱の底壁とその底壁と連続する側壁及び上下壁の角部を幅方向に渡って切り欠き除去した形状に、壁裏への挿入時に貫通孔周縁との接触を回避可能に形成されてなることを特徴とする配線器具取付装置。
【請求項２】
前記当接部は、前記配線器具取付部材の対向する２辺に形成され、前記貼付部材は、前記配線器具取付部材の前記２辺と別の対向する２辺に貼り付けられている請求項１に記載の配線器具取付装置。
【請求項３】
前記貼付部材は、前記壁材の表面に貼り付けられる部分を所定の長さに切断するための切断位置表示部を備えた請求項１又は請求項２に記載の配線器具取付装置。
【請求項４】
壁材に形成された貫通孔から壁裏へ挿入可能で、開口を有するほぼ四角形状に形成された有底箱状をなし、箱内に配線を引き込むための引込孔と、上壁及び下壁に形成され、前記壁裏の前記貫通孔周縁の上部及び下部にそれぞれ当接可能な当接部と、配線器具を取り付ける配線器具取付部と、下部のみには開口側に突出形成された前記貫通孔内周に当接可能な突起とを備え、前記引込孔は、箱の底壁とその底壁と連続する側壁及び上下壁の角部を幅方向に渡って切り欠き除去した形状に、壁裏への挿入時に貫通孔周縁との接触を回避可能に形成されてなる配線器具取付部材の少なくとも２箇所にシート状の貼付部材の一部を貼り付け、前記配線器具取付部材を前記貫通孔から前記壁裏へ挿入し、前記突起を前記貫通孔内周に当接させ、前記当接部を壁裏の前記貫通孔周縁に当接させた状態で前記貼付部材の、前記貫通孔から前記壁材の表側に露出している部分を前記壁材の表面に貼り付けて、前記配線器具取付部材を前記壁材に仮固定する配線器具取付部材の取付方法。
【発明の詳細な説明】
【０００１】
【発明の属する技術分野】
本発明は、配線器具取付装置及び配線器具取付部材の取付方法に関するものである。
【０００２】
【従来の技術】
従来、壁面に配線器具を設置する際に使用される配線ボックスには、壁材に形成された貫通孔から壁裏に挿入されて壁材の裏面に取り付けられるものがある。この種の配線ボックスとして、例えば、特開平８−２７５３３６号公報に示されるものがある。
【０００３】
この公報の配線ボックスを使用して配線器具を壁材に取り付ける際には、先ず、壁材の裏側に配線された配線ケーブルを、壁材に形成された貫通孔から壁材の表側に引き出して引込孔を介して配線ボックス内に引き込み、配線器具に接続する。次に、取付用ねじを配線器具の取付枠の上部のねじ挿通孔に差し込むとともに、配線ボックスの上部の雌ねじの途中まで螺入して、配線器具取付枠の上部を配線ボックスに仮固定する。
【０００４】
上記のように配線器具取付枠と配線ボックスとを仮固定した状態で、図６（ａ）に示すように、配線ボックス９１を一旦下方へずらしながら、壁材９２の貫通孔９３から壁裏へ挿入する。そして、配線器具９４と配線ボックス９１とを持ち上げて、配線ボックス９１の上部と下部とにそれぞれ形成されている当接部９５ａ，９５ｂを、壁材９２の裏面９６に当接させる。この状態で、途中まで螺入されていた前記上側の取付用ねじ９７ａを配線ボックス９１の上部の雌ねじ９８ａにさらに締め込むとともに、配線器具取付枠９９の下部のねじ挿通孔に別の取付用ねじ９７ｂを差し込み、配線ボックス９１の下部の雌ねじ９８ｂに締め込んで、両取付用ねじ９７ａ，９７ｂを緊締する。両取付用ねじ９７ａ，９７ｂの緊締により、図６（ｂ）に示すように、配線ボックス９１と配線器具取付枠９９とで壁材９２を挟持して、配線器具９４及び配線ボックス９１を壁材９２に固定している。
【０００５】
【発明が解決しようとする課題】
ところが、特開平８−２７５３３６号公報の配線ボックスでは、配線ボックス９１の設置と配線器具９４の取り付けとを同時に行わなければならなかった。しかも、配線器具９４を配線ボックス９１に仮固定した状態で配線ボックス９１を壁材９２の裏面９６に配置しなければならなかったため、その作業は非常に面倒であった。又、配線器具９４が、壁材９２の表面に張るクロス張りの邪魔になるため、クロス張り前に配線ボックス９１を壁材９２に取り付けることができなかった。
【０００６】
本発明は上記の事情に鑑みてなされたものであって、その目的は、クロス張りの前でも後でも、配線器具取付部材を壁材に容易に仮固定することができる配線器具取付装置及び配線器具取付部材の取付方法を提供することにある。
【０００７】
【課題を解決するための手段】
前記の目的を達成するために、請求項１に記載の発明は、壁材に形成された貫通孔から壁裏へ挿入可能で、開口を有するほぼ四角形状に形成された有底箱状をなし、箱内に配線を引き込むための引込孔と、上壁及び下壁に形成され、前記壁裏の前記貫通孔周縁の上部及び下部にそれぞれ当接可能な当接部と、配線器具を取り付ける配線器具取付部とを備えた配線器具取付部材と、前記配線器具取付部材に一部が貼り付けられるとともに、一部が前記壁材に貼り付け可能で、前記配線器具取付部材を前記壁材に仮固定するためのシート状の貼付部材とからなり、前記配線器具取付部材の下部のみには、開口側に突出形成された前記貫通孔内周に当接可能な突起を備え、前記引込孔は、箱の底壁とその底壁と連続する側壁及び上下壁の角部を幅方向に渡って切り欠き除去した形状に、壁裏への挿入時に貫通孔周縁との接触を回避可能に形成されてなることを要旨とする。
【０００８】
請求項２に記載の発明は、請求項１に記載の発明において、前記当接部は、前記配線器具取付部材の対向する２辺に形成され、前記貼付部材は、前記配線器具取付部材の前記２辺と別の対向する２辺に貼り付けられていることを要旨とする。
【０００９】
請求項３に記載の発明は、請求項１又は請求項２に記載の発明において、前記貼付部材は、前記壁材の表面に貼り付けられる部分を所定の長さに切断するための切断位置表示部を備えたことを要旨とする。
【００１０】
請求項４に記載の発明は、壁材に形成された貫通孔から壁裏へ挿入可能で、開口を有するほぼ四角形状に形成された有底箱状をなし、箱内に配線を引き込むための引込孔と、上壁及び下壁に形成され、前記壁裏の前記貫通孔周縁の上部及び下部にそれぞれ当接可能な当接部と、配線器具を取り付ける配線器具取付部と、下部のみには開口側に突出形成された前記貫通孔内周に当接可能な突起とを備え、前記引込孔は、箱の底壁とその底壁と連続する側壁及び上下壁の角部を幅方向に渡って切り欠き除去した形状に、壁裏への挿入時に貫通孔周縁との接触を回避可能に形成されてなる配線器具取付部材の少なくとも２箇所にシート状の貼付部材の一部を貼り付け、前記配線器具取付部材を前記貫通孔から前記壁裏へ挿入し、前記突起を前記貫通孔内周に当接させ、前記当接部を壁裏の前記貫通孔周縁に当接させた状態で前記貼付部材の、前記貫通孔から前記壁材の表側に露出している部分を前記壁材の表面に貼り付けて、前記配線器具取付部材を前記壁材に仮固定することを要旨とする。
【００１２】
【発明の実施の形態】
以下、本発明を箱状の配線器具取付部材を備える配線器具取付装置に具体化した一実施形態を図１〜図４に従って説明する。
【００１３】
図１は配線器具取付装置の斜視図を示す。図２（ａ）は配線ボックスの正面図を示し、図２（ｂ）は図２（ａ）のIIＢ−IIＢ線断面図を示す。
図１に示すように、配線器具取付装置１１は、配線器具取付部材としての配線ボックス１２に、シート状の貼付部材としての粘着テープ１３の一端部が貼り付けられて構成されている。この実施形態では、配線ボックス１２は合成樹脂製である。
【００１４】
図１及び図２に示すように、配線ボックス１２は、開口１４を有する上下方向に長い有底の四角な箱を、底壁１５の上側と下側とでそれぞれ幅方向に渡って切り欠き除去した形状に形成されている。切り欠き除去した部分に相当する孔は、配線ケーブル（図３参照）を配線ボックス１２内に引き込むための引込孔１６，１７になっている。このため、配線ボックス１２は、底壁１５と、底壁１５に連続する一対の側壁である左側壁１８、右側壁１９と、底壁１５から離れた位置で左側壁１８及び右側壁１９に連続する上壁２０、下壁２１とを備える形状になっている。
【００１５】
図２（ａ）に示すように、底壁１５の内面の下部には、配線器具を取り付ける際に使用するための取付ビス２２を保持可能なビス保持部２３が形成されている。図２（ａ）に示す状態では、取付ビス２２はビス保持部２３に保持されている。取付ビス２２は、厚い壁材に対応した長さに形成されている。ビス保持部２３には、底壁１５を貫通する貫通孔２３ａと、取付ビス２２を挟持可能な支持突部２３ｂと、取付ビス２２の頭部の一部を収容可能な収容凹部２３ｃとが形成されている。貫通孔２３ａ〜収容凹部２３ｃの組は左側壁１８側から右側壁１９側に順に形成され、取付ビス２２を左右方向に延びる状態で保持可能に形成されている。貫通孔２３ａ〜収容凹部２３ｃの組は上下に並んで２組形成されているため、取付ビス２２を２本保持可能になっている。なお、取付ビス２２は、図１及び図２（ｂ）では図示を省略している。
【００１６】
図１及び図２に示すように、上壁２０の開口１４側縁部には、当接部２４が上方に突出形成されている。又、下壁２１の開口１４側縁部には、当接部２５が下方に突出形成されている。即ち、四角形状の配線ボックス１２の対向する２辺を構成する上壁２０及び下壁２１に、それぞれ当接部２４，２５が形成されている。当接部２４から当接部２５までの距離は、配線器具を取り付けるために壁材に形成される貫通孔の高さより大きくなるように形成されている。
【００１７】
上壁２０の開口１４側縁部の内側にはリブ２６が形成され、下壁２１の開口１４側縁部の内側にはリブ２７が形成されている。左側壁１８、右側壁１９、上壁２０、下壁２１、当接部２４，２５、リブ２６，２７は、開口１４側で同一平面を形成している。
【００１８】
上壁２０の中央部の内側には、配線器具取付部としての膨出部３１が形成されている。膨出部３１は、開口１４側でリブ２６と一体で連続するように形成されている。同様に、下壁２１の中央部の内側には、配線器具取付部としての膨出部３２が、開口１４側でリブ２７と一体で連続するように形成されている。膨出部３１，３２には取付孔３１ａ，３２ａがそれぞれ形成され、取付孔３１ａ，３２ａには、取付ビス２２を螺着するためのナット３３（図２（ｂ）参照）がそれぞれ装着されている。取付孔３１ａ，３２ａは、底壁１５と垂直な方向に延びるように形成され、その延びる方向で引込孔１６，１７に対応し、底壁１５とは対向しないようになっている。
【００１９】
リブ２７の取付孔３２ａの周辺部には、取付孔３２ａに対して左右に略対称な位置に、一対の突起３５が形成されている。突起３５は、取付孔３１ａ，３２ａへの取付ビス２２の取り付けの邪魔にならない位置に形成されている。突起３５は、底壁１５と垂直な方向に延びるように、底壁１５と反対側に突出形成されている。突起３５は断面円形のピン状に形成されている。
【００２０】
図１に示すように、左側壁１８及び右側壁１９には、それぞれ長方形状の粘着テープ１３が貼り付けられている。粘着テープ１３の長さは、厚さの異なる壁材にも対応して貼り付けることができる所定の長さに設定されている。
【００２１】
各粘着テープ１３は、第１端部４１側が左側壁１８、右側壁１９の内側面にそれぞれ貼り付けられ、第２端部４２側が開口１４から外側に延びている。即ち、四角形状の配線ボックス１２の、上壁２０及び下壁２１と別の対向する２辺を構成する左側壁１８及び右側壁１９に、それぞれ粘着テープ１３の一部が貼り付けられている。左側壁１８及び右側壁１９の内側面には、粘着テープ１３の貼付位置の目安となる貼付位置表示部１８ａ（図２参照），１９ａが、それぞれ２本ずつ開口１４から底壁１５まで直線状に延びるようにわずかに突出形成されている。貼付位置表示部１８ａの間隔及び貼付位置表示部１９ａの間隔は、粘着テープ１３の幅とほぼ同じに形成されている。
【００２２】
粘着テープ１３には、左側壁１８、右側壁１９に貼り付けられた部分の外側（第２端部４２側）に、剥離紙４３が付着されている。剥離紙４３の長さは、粘着テープ１３の長さより長く形成されている。
【００２３】
粘着テープ１３には、粘着剤が塗布された貼付可能部分としての貼着面と反対側の表面４４において、第１端部４１から所定距離の位置に剥離位置表示線４５が印刷されている。剥離位置表示線４５は、粘着テープ１３の幅方向に延びる点線状に印刷されている。配線器具取付装置１１は、剥離紙４３が第１端部４１から剥離位置表示線４５周辺の部分まで剥がされた状態で、各粘着テープ１３の第１端部４１側の部分が左側壁１８、右側壁１９にそれぞれ貼り付けられている。
【００２４】
粘着テープ１３の表面４４には、剥離位置表示線４５から第２端部４２側に所定距離の位置に、切断位置表示部としての切断位置表示線４６が表示されている。切断位置表示線４６は、粘着テープ１３の幅方向に延びる点線状に印刷されている。切断位置表示線４６は複数本（この実施形態では、２本）印刷されている。切断位置表示線４６は、粘着テープ１３の長さを調整する際に利用される。
【００２５】
なお、この実施形態の粘着テープ１３の表面４４の色は、この実施形態での壁材としての石膏ボードの表面の色より少し濃い色に設定されている。
次に、上記のように構成された配線器具取付装置を使用して配線器具を壁材に取り付ける手順を説明する。
【００２６】
図３に示すように、壁材（以下、「壁」と称する）５１の貫通孔５２は、上下方向に長い長方形状に形成され、幅が配線ボックス１２の幅よりわずかに大きく形成されている。
【００２７】
先ず、壁５１の裏側に配線された配線ケーブル５４を、貫通孔５２から壁５１の表側に引き出し、引込孔１６から配線ボックス１２内に引き込む。
次に、配線ボックス１２を貫通孔５２に挿入して、壁５１の表側から裏側に移動させる。このため、配線ボックス１２は、各粘着テープ１３の第１端部４１側の部分が左側壁１８及び右側壁１９の内側面に貼り付けられた状態で、壁材５１の貫通孔５２から裏側へ挿入される。貫通孔５２の幅が配線ボックス１２の幅よりわずかに大きく形成されているため、配線ボックス１２は、幅方向に延びる軸回りに傾けるだけで、当接部２４又は当接部２５側から容易に貫通孔５２に挿入される。
【００２８】
次に、突起３５を貫通孔５２の周面５５に、下側において当接させる。すると、配線ボックス１２は、壁５１の裏面５６の取り付け位置に位置決めされる。又、突起３５は、配線ボックス１２の落下を防止する役割も果たす。次に、配線ボックス１２の当接部２４，２５を、壁５１の裏面５６の貫通孔５２周縁部の上部と下部とにそれぞれ当接させる。
【００２９】
次に、剥離紙４３を剥いで、粘着テープ１３を壁５１の貫通孔５２の周面５５及び壁材５１の表面６０に貼り付ける。このため、粘着テープ１３の第２端部４２側の部分は、貫通孔５２から壁材５１の表側に出た状態で、表面６０に貼り付けられる。この結果、配線ボックス１２は壁５１の裏面５６に仮固定される。
【００３０】
配線ボックス１２を壁５１に仮固定した後、壁５１の表面６０にクロス張り（図示せず）を行う。粘着テープ１３は、壁５１の表面６０に貼り付けられた部分（第２端部４２側）がクロス張りによって覆われる。粘着テープ１３はシート状のため、クロスに凹凸が発生しない。
【００３１】
次に、配線器具取付枠６１に取り付けられた配線器具６２に、配線ケーブル５４を接続するとともに、配線ボックス１２のビス保持部２３に保持されている取付ビス２２をビス保持部２３から取り外す。取付ビス２２の先端部を指等で押して貫通孔２３ａ内に押し込むと、支持突部２３ｂが支軸として機能して、取付ビス２２が支持突部２３ｂ回りに回動されて、取付ビス２２の頭部が底壁１５から持ち上げられる。この持ち上げられた頭部を把持して、取付ビス２２をビス保持部２３から取り外す。
【００３２】
次に、配線ボックス１２のビス保持部２３から取り外した２本の取付ビス２２を、配線器具取付枠６１の上部と下部とにそれぞれ形成されたビス挿通孔６４に差し込むとともに、取付孔３１ａ，３２ａに差し込んで、取付孔３１ａ，３２ａに装着されたナット３３にそれぞれ螺着させる。両取付ビス２２の螺着により、壁５１の表面６０に配線器具取付枠６１を取り付け、配線ボックス１２内に配線器具６２を収容する。配線ボックス１２内に収容される配線器具６２と配線ケーブル５４との接続部は、箱状の配線ボックス１２によって周囲を取り囲まれる。配線器具取付枠６１と配線ボックス１２とで壁５１を挟持することにより、配線器具６２及び配線ボックス１２は壁５１に固定される。その後、配線器具取付枠６１の表面に化粧プレート（図示せず）を取り付けて、壁５１への配線器具６２の取付作業を完了する。
【００３３】
上記の手順では、配線ボックス１２は、クロス張りの前に壁５１に仮固定されるようになっている。ところで、配線ボックス１２は、クロス張りをした後の壁５１に仮固定してもよい。この場合、粘着テープ１３は、切断位置表示線４６で切断されて、化粧プレートからはみ出ない適切な長さに調整された後に、クロス張りの上に貼り付けられる。その後、配線器具６２及び化粧プレートを取り付ける。粘着テープ１３は化粧プレートによって覆われ、外部に露出されない。
【００３４】
この実施形態によって発揮される効果について、以下に記載する。
（１）配線器具取付装置１１は、壁５１の裏面５６において貫通孔５２周縁の上部及び下部にそれぞれ当接する当接部２４，２５と、取付ビス２２によって配線器具６２が取り付けられる膨出部３１，３２とを備える配線ボックス１２に、粘着テープ１３が貼り付けられて構成されている。従って、粘着テープ１３を壁５１の表面６０に貼り付けることにより、配線器具６２と別に、配線ボックス１２だけを、壁５１の裏面５６に容易に仮固定することができる。
【００３５】
（２）粘着テープ１３はシート状のため、クロス張りの前に配線ボックス１２を仮固定して壁５１の表面６０に粘着テープ１３を貼り付け、その上に直にクロスを張って粘着テープ１３を隠しても、クロスに凹凸が発生せず、美観等に影響がない。そのため、後処理を省くことができる。又、粘着テープ１３は、化粧プレートの取り付けにも邪魔にならない。
【００３６】
（３）粘着テープ１３は、クロス張りの後で、クロスの上に貼り付けてもよい。従って、配線ボックスと同時に取り付けられる配線器具が邪魔になってクロス張りの前に配線ボックスを壁に取り付けることができなかった従来の配線ボックスと異なり、クロス張りの前でも後でも、配線ボックス１２を粘着テープ１３の貼り付けにより壁５１に容易に仮固定することができる。
【００３７】
（４）配線ボックス１２は、粘着テープ１３の貼り付けにより壁５１に仮固定されるため、外れないように簡単かつ確実に仮固定することができる。
（５）粘着テープ１３の表面４４には、壁５１の表面６０に貼り付けられる所定の長さに切断可能な切断位置表示線４６が印刷されている。従って、クロス張りの後で配線ボックス１２を壁５１に仮固定する場合に、粘着テープ１３を切断位置表示線４６で切断した後にクロス張りの上に貼り付けることにより、粘着テープ１３が化粧プレートからはみ出て外部に露出することを容易に防止できる。
【００３８】
（６）配線ボックス１２は、当接部２４，２５が形成されている上壁及び下壁２０，２１と別の対向する２辺を構成する左側壁１８及び右側壁１９間の距離（配線ボックス１２の幅）が、貫通孔５２の対応する部分の距離（貫通孔５２の幅）より小さく形成されている。従って、貫通孔５２に容易に挿入して壁５１の裏側に配置することができる。
【００３９】
（７）配線ボックス１２の下部には、突起３５が形成されている。この突起３５が壁５１の貫通孔５２の周面５５に、下側において当接されることにより、配線ボックス１２の壁５１の裏面５６への取り付け位置を容易に位置決めすることができる。又、突起３５は、配線ボックス１２の落下を防止する役割も果たす。
【００４０】
（８）配線ケーブル５４を配線ボックス１２に引き込むための引込孔１６，１７が、配線ボックス１２の底壁１５と上壁２０及び下壁２１との角部に相当する箇所に形成されている。従って、配線ボックス１２を壁５１の貫通孔５２に挿入して裏側に配置する際に、配線ボックス１２と、壁５１の貫通孔５２周縁部との接触を回避しやすく、より容易に挿入することができる。
【００４１】
（９）配線ボックス１２には、取付孔３１ａ，３２ａと対向する箇所で底壁１５が開口された状態になるように引込孔１６，１７が形成されている。そのため、厚い壁に対応した長さに形成されている取付ビス２２は、壁が薄い場合、底壁１５に当たらず、引込孔１６，１７を貫通する。従って、壁が薄い場合でも、取付ビス２２を短いものに変えずにそのまま使用することができる。
【００４２】
（１０）粘着テープ１３の第２端部４２側には剥離紙４３が貼り付けられているため、配線ボックス１２を貫通孔５２から壁裏に挿入する際に、粘着テープ１３が壁５１に間違って貼り付くことが防止されるため、作業しやすくすることができる。
【００４３】
（１１）配線ボックス１２は、粘着テープ１３により仮固定されるため、矩形状に形成された貫通孔５２に限られず、例えば、複数の円の重合により形成された形状の貫通孔にも対応して仮固定することができる。例えば、図４に示すように、ひょうたん形状（２つの円が上下方向に並んで一部が重合した形状）の貫通孔６５を有する壁６６の裏面に配線ボックス１２を仮固定することもできる。配線ボックス１２を貫通孔６５に挿入する際には、例えば、貫通孔６５の径が最も大きい壁６６の上下方向に配線ボックス１２の左側壁１８及び右側壁１９が並ぶように配線ボックス１２を傾けて、当接部２４又は当接部２５から貫通孔５２に挿入する。粘着テープ１３が壁６６の貫通孔６５の周面６７に貼り付けられなくても、壁６６の表面６８に貼り付けられることにより、配線ボックス１２は仮固定される。なお、図４は、クロス張りの前に配線ボックス１２を壁６６に仮固定した状態を示す。
【００４４】
なお、実施形態は上記実施形態に限定されるものではなく、例えば以下のように変更してもよい。
・配線器具取付装置は、図５（ａ）に示すように、配線ボックス１２を左右に２個並べて一体に形成した形状の配線ボックス７１の左側壁１８と右側壁１９とに、それぞれ粘着テープ１３を貼り付けることにより構成した配線器具取付装置７４であってもよい。配線ボックス７１は、左側の配線ボックス１２の右側壁と、右側の配線ボックス１２の左側壁とが一体になって、共通の中央壁７５となった形状に形成されている。突起３５は、左の取付孔３２ａの左側と、右の取付孔３２ａの右側とにそれぞれ形成されている。
【００４５】
配線ボックス７１は、壁に形成された幅の広い四角形状の貫通孔から壁の裏側に挿入して、粘着テープ１３を壁の表面に貼り付けることにより壁に仮固定することができる。又、配線ボックス７１は、例えば、図５（ａ）に示すように、貫通孔６５が左右方向に並んで重合した形状（４つの円が重合した形状）の貫通孔８１から壁８２の裏側に挿入して、粘着テープ１３を壁８２の表面に貼り付けることにより壁８２に仮固定してもよい。なお、図５（ａ）は、クロス張りの前に配線ボックス７１を壁８２に仮固定した状態を示す。
【００４６】
なお、配線ボックス７１の底壁８３の中央部には、図５（ｂ）に示すように、所定の小さな力で取り外し可能な状態で支持片８３ａにより底壁８３に支持された蓋部８４を指で押圧して取り外すことにより、貫通孔が形成されるノックアウト部８５が中央壁７５を挟んで一対形成されている。ノックアウト部８５で形成される貫通孔から、配線ケーブルを引き込むことができる。なお、ノックアウト部８５の上下方向の長さは、中央壁７５の長さの約４分の１に形成されている。
【００４８】
・配線ボックスは、ビス保持部２３及び突起３５を除いて上下対称なため、上下を逆にして壁に取り付けてもよい。
・当接部は、上壁及び下壁に形成されることに限られず、左側壁及び右側壁に形成してもよい。この場合、配線ボックスは、上壁及び下壁間の距離を、壁の貫通孔の対応する部分の距離（貫通孔の高さ）より小さく形成することにより、貫通孔に容易に挿入することができる。
【００４９】
・貼付部材は、粘着テープ１３に限られず、他の大きさや形状の粘着テープや、他の貼付可能なシート状のもの等でもよい。
・粘着テープは、壁の貫通孔に配線ボックスを挿入する前に、剥離紙を剥離除去してもよい。
【００５０】
・粘着テープは、配線ボックスが壁に仮固定される前では、常に配線ボックスの左側壁及び右側壁の所定位置に貼り付けられて配線器具取付装置の状態で準備されていることに限られず、例えば、配線ボックスと粘着テープとを別々に準備しておいてもよい。そして、壁の貫通孔に配線ボックスを挿入する直前に、配線ボックスと別に準備していた粘着テープの一部を配線ボックスの所定位置に貼り付けて、配線器具取付装置の状態にしてもよい。
【００５１】
・粘着テープは、配線ボックスのビス保持部に取付ビスを保持させて配線ボックスに取付ビスを準備しておくのと同様に、配線ボックスの底壁等に粘着テープの一部を貼り付けて準備しておいてもよい。そして、壁の貫通孔に配線ボックスを挿入する直前に、取付ビスを配線ボックスから取り出すのと同様に、粘着テープを配線ボックスから取り出して、粘着テープの一部を配線ボックスの所定位置に貼り付けてもよい。
【００５２】
・突起３５の個数は２個に限られず、１個又は３個以上であってもよい。
【００５３】
・ナット３３は、予め取付孔３１ａ，３２ａに装着されていることに限られず、配線ボックスを壁の貫通孔に挿入する際に初めて取付孔３１ａ，３２ａに装着してもよい。
【００５４】
・壁の貫通孔は、予め形成されていることに限られず、配線ボックスを挿入する際に初めて形成してもよい。
上記各実施形態から把握できる技術的思想について、以下に追記する。
【００５６】
（１）  前記貼付部材には、前記配線器具取付部材に貼り付けられた部分と別の貼付可能部分に剥離紙が取り付けられている請求項１〜請求項３のいずれか１つに記載の配線器具取付装置。このように構成した場合、配線器具取付部材を貫通孔から壁裏に挿入する際に、貼付部材が壁材に間違って貼り付くことが防止されるため、作業しやすくすることができる。
【００５７】
（２）  前記貼付部材は、予め所定の大きさに切断され、前記配線器具取付部材と一緒に準備されている請求項４に記載の配線器具取付部材の取付方法。この場合、配線器具取付部材を壁材に仮固定する作業に速やかに取り掛かることができる。
【００５８】
（３）  前記貼付部材の貼付可能部分には剥離紙が予め取り付けられており、前記剥離紙の所定部分を剥離して、前記貼付部材の一部を前記配線器具取付部材に貼り付けてから、前記配線器具取付部材を前記壁材の貫通孔から壁裏へ挿入し、前記剥離紙の残りの部分を剥離して、前記貼付部材の、前記貫通孔から前記壁材の表側に露出している部分を前記壁材の表面に貼り付ける請求項４又は前記技術的思想（２）に記載の配線器具取付部材の取付方法。この場合、配線器具取付部材を貫通孔から壁裏に挿入する際に、貼付部材が壁材に間違って貼り付くことが防止されるため、作業しやすくすることができる。
【００５９】
【発明の効果】
以上詳述したように、この発明によれば、次のような効果を奏する。
請求項１に記載の発明の配線器具取付装置によれば、クロス張りの前でも後でも、配線器具取付部材を貼付部材により壁材に容易に仮固定することができる。また、配線器具取付部材を壁材の貫通孔に挿入して壁裏に配置する際に、配線器具取付部材と、壁材の貫通孔周縁部との接触を回避しやすく、より容易に挿入することができる。加えて、配線器具取付部材を容易に位置決めすることができる。又、突起は、配線器具取付部材の落下を防止する役割も果たす。
【００６０】
請求項２に記載の発明の配線器具取付装置によれば、請求項１に記載の発明の効果に加えて、当接部が形成されていない別の２辺間の距離を、貫通孔の対応する部分の距離より小さくすることにより、配線器具取付部材を貫通孔に容易に挿入することができる。
【００６１】
請求項３に記載の発明の配線器具取付装置によれば、請求項１又は請求項２に記載の発明の効果に加えて、貼付部材の先端が化粧プレートからはみ出ることを容易に防止することができる。
【００６２】
請求項４に記載の発明の配線器具取付部材の取付方法によれば、クロス張りの前でも後でも、配線器具取付部材を壁材に容易に仮固定することができる。また、配線器具取付部材を壁材の貫通孔に挿入して壁裏に配置する際に、配線器具取付部材と、壁材の貫通孔周縁部との接触を回避しやすく、より容易に挿入することができる。加えて、配線器具取付部材を容易に位置決めすることができる。又、突起は、配線器具取付部材の落下を防止する役割も果たす。
【図面の簡単な説明】
【図１】配線器具取付装置の斜視図。
【図２】（ａ）は配線ボックスの正面図、（ｂ）は（ａ）のIIＢ−IIＢ線断面図。
【図３】配線ボックスを壁に仮固定した状態を示す斜視図。
【図４】配線ボックスを別の貫通孔を有する壁に仮固定した状態を示す斜視図。
【図５】（ａ）は、別例の配線ボックスを壁に仮固定した状態を示す斜視図。（ｂ）はノックアウト部を示す部分拡大模式図。
【図６】（ａ）は従来の配線ボックスを貫通孔に挿入した状態を示す模式断面図、（ｂ）は配線ボックスと配線器具とを壁に固定した状態を示す模式断面図。
【符号の説明】
１１，７４…配線器具取付装置、１２，７１…配線器具取付部材としての配線ボックス、１３…貼付部材としての粘着テープ、１８…貼付部材が貼り付けられる対向する２辺を構成する左側壁、１９…同じく右側壁、２０…当接部が形成される対向する２辺を構成する上壁、２１…同じく下壁、２４，２５…当接部、３１，３２…配線器具取付部としての膨出部、３５…突起、４６…切断位置表示部としての切断位置表示線。
【図１】
0003828385.tif 000002
【図２】
0003828385.tif 000003
【図３】
0003828385.tif 000004
【図４】
0003828385.tif 000005
【図５】
0003828385.tif 000006
【図６】
0003828385.tif 000007